(57)【要約】【課題】本発明は、従来にない非常に実用的なショベルを提供することを目的とする。【解決手段】柄部１の先端部に掬い部２が設けられたショベルであって、前記柄部１の先端側には先端側握持部３が設けられ、また、前記柄部１の基端側には基端側握持部４が設けられ、前記先端側握持部３及び前記基端側握持部４は、前記柄部１に起伏回動自在に設けられる支承部材３ａ，４ａと、この支承部材３ａ，４ａに設けられたグリップ部材３ｂ，４ｂとを有し、前記支承部材３ａ，４ａ夫々には、前記柄部１に対し該支承部材３ａ，４ａを所定の角度で保持する角度保持機構５，６が設けられたものである。【選択図】図１
2020063588.tif 000002
【特許請求の範囲】
【請求項１】
柄部の先端部に掬い部が設けられたショベルであって、前記柄部の先端側には先端側握持部が設けられ、また、前記柄部の基端側には基端側握持部が設けられ、前記先端側握持部及び前記基端側握持部は、前記柄部に起伏回動自在に設けられる支承部材と、この支承部材に設けられたグリップ部材とを有し、前記支承部材夫々には、前記柄部に対し該支承部材を所定の角度で保持する角度保持機構が設けられていることを特徴とするショベル。
【請求項２】
請求項１記載のショベルにおいて、前記基端側握持部は、前記支承部材を前記柄部の先端方向へ倒伏させた折り畳み状態と、前記柄部の基端方向へ倒伏させた展開状態とに切り替え可能に設けられていることを特徴とするショベル。
【請求項３】
請求項２記載のショベルにおいて、前記支承部材を前記柄部の基端方向へ倒伏させた展開状態とした際、前記グリップ部材が前記柄部の基端よりも外側に位置するように設けられていることを特徴とするショベル。
【請求項４】
請求項１〜３いずれか１項に記載のショベルであって、前記掬い部は、前記柄部の先端部に回動自在に設けられ、前記掬い部には前記柄部に対し該掬い部を所定の角度で保持する掬い部角度保持機構が設けられていることを特徴とするショベル。
【請求項５】
請求項１〜４いずれか１項に記載のショベルにおいて、前記柄部の基端にはハンマーなどの殴打作業部材，ピッケルなどの破砕作業部材が着脱自在に設けられていることを特徴とするショベル。
【発明の詳細な説明】
【技術分野】
【０００１】
本発明は、ショベルに関するものである。
【背景技術】
【０００２】
従来から、例えば土や雪などの被掘削物を掘削するためのショベルとして実用新案登録第３００５６１１号に開示されるようなショベル（以下、従来例）が提案されている。
【０００３】
この従来例は、図13に図示したように柄部51の先端部に掬い部52、基端部に握持部55が設けられ、更に、柄部51の先端側には先端側握持部53が固着された構造であり、この先端側握持部53は、柄部51に設けられる支承部材53ａと、この支承部材53ａの先端部に架設されたグリップ部材53ｂとを有するものである。
【０００４】
従って、被掘削物Ｓに掬い部52を刺し込んだ状態から掬い上げる際、片方の手で先端側握持部53のグリップ部材53ｂを握持し、もう片方の手で握持部55を握持し、この状態でグリップ部材53ｂを支点に握持部55を下方に押し込むことで、梃子の原理を利用して被掘削物Ｓに刺し込んだ掬い部52を上げることができ、よって、柄部51の先端側を握持した状態で掬い上げる場合に比して被掘削物Ｓを楽に掬い上げることができる。
【先行技術文献】
【特許文献】
【０００５】
【特許文献１】実用新案登録第３００５６１１号公報
【発明の概要】
【発明が解決しようとする課題】
【０００６】
ところで、掬い部52で被掘削物Ｓを掬い上げた後に搬送する際など、左右の手を伸ばして同じ高さの位置で持つ姿勢が楽であるが、従来例は、その構造上、左右の手を伸ばして同じ高さ位置にして楽な姿勢をとろうとすると、掬い部52が傾斜状態となり掬った被掘削物Ｓがこぼれ易い状態になる（図13の状態）。よって、掬い部52を水平状態とすべく先端側握持部53を握持する側の手を余分に上方へ位置させなければならず（先端側握持部53を握持する側の手を多少縮めなければならないから）、非常に大変である。
【０００７】
本発明は、前述した問題点を解消するもので、従来にない非常に実用的なショベルを提供する。
【課題を解決するための手段】
【０００８】
添付図面を参照して本発明の要旨を説明する。
【０００９】
柄部１の先端部に掬い部２が設けられたショベルであって、前記柄部１の先端側には先端側握持部３が設けられ、また、前記柄部１の基端側には基端側握持部４が設けられ、前記先端側握持部３及び前記基端側握持部４は、前記柄部１に起伏回動自在に設けられる支承部材３ａ，４ａと、この支承部材３ａ，４ａに設けられたグリップ部材３ｂ，４ｂとを有し、前記支承部材３ａ，４ａ夫々には、前記柄部１に対し該支承部材３ａ，４ａを所定の角度で保持する角度保持機構５，６が設けられていることを特徴とするショベルに係るものである。
【００１０】
また、請求項１記載のショベルにおいて、前記基端側握持部４は、前記支承部材４ａを前記柄部１の先端方向へ倒伏させた折り畳み状態と、前記柄部１の基端方向へ倒伏させた展開状態とに切り替え可能に設けられていることを特徴とするショベルに係るものである。
【００１１】
また、請求項２記載のショベルにおいて、前記支承部材４ａを前記柄部１の基端方向へ倒伏させた展開状態とした際、前記グリップ部材４ｂが前記柄部１の基端よりも外側に位置するように設けられていることを特徴とするショベルに係るものである。
【００１２】
また、請求項１〜３いずれか１項に記載のショベルであって、前記掬い部２は、前記柄部１の先端部に回動自在に設けられ、前記掬い部２には前記柄部１に対し該掬い部２を所定の角度で保持する掬い部角度保持機構７が設けられていることを特徴とするショベルに係るものである。
【００１３】
また、請求項１〜４いずれか１項に記載のショベルにおいて、前記柄部１の基端にはハンマーなどの殴打作業部材８，ピッケルなどの破砕作業部材が着脱自在に設けられていることを特徴とするショベルに係るものである。
【発明の効果】
【００１４】
本発明は上述のように構成したから、被掘削物に掬い部を刺し込んだ状態から楽に掬い上げることができ、その後の搬送も良好に行えることになるなど、従来にない非常に実用的なショベルとなる。
【図面の簡単な説明】
【００１５】
【図１】本実施例を示す斜視図である。
【図２】本実施例の要部の動作説明図である。
【図３】本実施例の要部の動作説明図である。
【図４】本実施例の要部を示す分解斜視図である。
【図５】本実施例の要部の動作説明図である。
【図６】本実施例の要部を示す分解斜視図である。
【図７】本実施例の要部の動作説明図である。
【図８】本実施例の要部の使用状態説明図である。
【図９】別例を示す平面図である。
【図１０】別例を示す正面図である。
【図１１】本実施例の使用状態説明図である。
【図１２】本実施例の使用状態説明図である。
【図１３】従来例の使用状態説明図である。
【発明を実施するための形態】
【００１６】
好適と考える本発明の実施形態を、図面に基づいて本発明の作用を示して簡単に説明する。
【００１７】
被掘削物Ｓに掬い部２を刺し込んだ状態から掬い上げる際、片方の手で先端側握持部３のグリップ部材３ｂを握持し、もう片方の手で基端側握持部４のグリップ部材４ｂを握持し、この状態で先端側握持部３のグリップ部材３ｂを支点に基端側握持部４のグリップ部材４ｂを下方に押し込むことで、梃子の原理を利用して被掘削物Ｓに刺し込んだ掬い部２を上げることができる。
【００１８】
よって、柄部１を握持した状態で掬い上げる場合に比して被掘削物Ｓを楽に掬い上げることができる。
【００１９】
また、本発明は、先端側握持部３及び基端側握持部４は、柄部１に起伏回動自在に設けられる支承部材３ａ，４ａと、この支承部材３ａ，４ａに設けられたグリップ部材３ｂ，４ｂとを有し、支承部材３ａ，４ａ夫々には、柄部１に対し該支承部材３ａ，４ａを所定の角度で保持する角度保持機構５，６が設けられているから、この角度保持機構５，６により柄部１に対する支承部材３ａ，４ａの角度を適宜設定することで、グリップ部材３ｂ，４ｂ同士の間隔や柄部１からの高さ（距離）を調整することができ、作業者の体格などに合った作業し易い状態を簡易に得ることができる。
【００２０】
また、本発明は、角度保持機構５，６により先端側握持部３及び基端側握持部４を適宜調整することで、先端側握持部３のグリップ部材３ｂと、基端側握持部４のグリップ部材４ｂとの柄部１からの高さ（距離）を略同じにすることができ、この状態で搬送作業をすると、掬い部２が水平状態の為、掬い部２で掬った被掘削物Ｓをこぼすことなく楽な姿勢で搬送作業することができる。
【実施例】
【００２１】
本発明の具体的な実施例について図面に基づいて説明する。
【００２２】
本実施例は、柄部１の先端部に掬い部２が設けられたショベルである。
【００２３】
以下、本実施例に係る構成各部について詳細な説明をする。
【００２４】
柄部１は、図１，２に図示したように適宜な金属製の部材で形成した所定長を有するパイプ状体であり、先端部には掬い部２が設けられている。
【００２５】
掬い部２は、図１〜４に図示したように適宜な金属製の部材で形成した板状体であり、この掬い部２は柄部１の先端部に連結体９を介して連結される。
【００２６】
この連結体９は、柄部１の先端部に設けられる第一連結部材９’と、この第一連結部材９’と枢着され掬い部２の基端部に設けられる第二連結部材９”とで構成されている。
【００２７】
第一連結部材９’には軸状の止着部材10が螺着される螺子孔９ａが設けられ、第二連結部材９”には止着部材10が貫通する軸受孔９ｂが設けられており、止着部材10を第二連結部材９”の軸受孔９ｂに貫通させて第一連結部材９’に螺着させることで、第一連結部材９’（柄部１）に対して第二連結部材９”（掬い部２）は回動可能に連結される。
【００２８】
また、第一連結部材９’には、螺子孔９ａの周囲に複数の貫通孔９ｃが円弧状に並設され、これら貫通孔９ｃは第二連結部材９”に設けられる貫通孔９ｄと合致するように設けられ、この合致孔に杆部材11を貫挿することで、第二連結部材９”は所定の角度で回動阻止される。これが柄部１に対する所定角度で掬い部２を保持する掬い部角度保持機構７である。
【００２９】
本実施例では、第一連結部材９’に設けられる貫通孔９ｃとして、使用時に対応する０度、１５度、３０度で柄部１に対する掬い部２の回動を阻止する３つの貫通孔９ｃと、不使用時（掬い部２を柄部１の基端方向へ倒伏させた折り畳み状態）に対応する１つの貫通孔９ｃとが設けられている。
【００３０】
符号12は杆部材11の先端部に設けられる孔11ａに貫通係止される係止部材である。
【００３１】
また、柄部１の先端側には先端側握持部３が設けられ、また、柄部１の基端側には基端側握持部４が設けられている。
【００３２】
先端側握持部３は、図１，２，４，５に図示したように適宜な金属製の部材で形成されたコ字状体であり、柄部１の枢着孔１ａに貫挿される枢着軸部材13を介して起伏回動自在に設けられる左右一対の支承部材３ａと、この支承部材３ａの端部間に架設され柄部１と直交する方向に長さを有するグリップ部材３ｂとを有するものであり、先端側握持部３は柄部１に対して起伏回動自在に設けられている。
【００３３】
具体的には、先端側握持部３は、支承部材３ａを柄部１の先端方向へ起立させた状態（使用状態）と、支承部材３ａを柄部１の基端方向へ倒伏させた状態（不使用状態）とに切り替え可能に設けられている。
【００３４】
また、支承部材３ａには、柄部１に対し該支承部材３ａを複数の角度で保持する角度保持機構５が設けられている。
【００３５】
この角度保持機構５は、柄部１の枢着孔１ａの周囲に円弧状に並設される複数の貫通孔１ｂと、この貫通孔１ｂに合致する貫通孔３ａ’が支承部材３ａに設けられ、この合致孔に杆部材14を貫挿することで、支承部材３ａは所定の角度で回動阻止される。
【００３６】
本実施例では、柄部１に設けられる貫通孔１ｂとして、使用時に対応する９０度、７５度、６０度で柄部１に対する先端側握持部３の回動を阻止する３つの貫通孔１ｂと、不使用時（先端側握持部３を柄部１の基端方向へ倒伏させた折り畳み状態）に対応する１つの貫通孔１ｂとが設けられている。
【００３７】
符号15は杆部材14の先端部に設けられる孔14ａに貫通係止される係止部材である。
【００３８】
基端側握持部４は、図１，２，６，７に図示したように適宜な金属製の部材で形成されたコ字状体であり、柄部１の枢着孔１ｃに貫挿される枢着軸部材16を介して起伏回動自在に設けられる左右一対の支承部材４ａと、この支承部材４ａの端部間に架設され柄部１と直交する方向に長さを有するグリップ部材４ｂとを有するものであり、基端側握持部４は柄部１に対して起伏回動自在に設けられている。
【００３９】
具体的には、基端側握持部４は、支承部材４ａを柄部１の先端方向へ倒伏させた折り畳み状態と、支承部材４ａを柄部１の基端方向へ倒伏させた展開状態とに切り替え可能に設けられている。
【００４０】
また、本実施例は、支承部材４ａを柄部１の基端方向へ倒伏させた展開状態（後述する柄部１に対する基端側握持部４の０度の状態）とした際、グリップ部材４ｂが柄部１の基端よりも外側に位置（柄部１の軸心延長線上の基端側位置）するように設けられている。
【００４１】
また、支承部材４ａには、柄部１に対し該支承部材４ａを複数の角度で保持する角度保持機構６が設けられている。
【００４２】
この角度保持機構６は、柄部１の枢着孔１ｃの周囲に円弧状に並設される複数の貫通孔１ｄと、この貫通孔１ｄに合致する貫通孔４ａ’が支承部材４ａに設けられ、この合致孔に杆部材17を貫挿することで、支承部材４ａは所定の角度で回動阻止される。
【００４３】
本実施例では、柄部１に設けられる貫通孔１ｄとして、使用時に対応する０度、２０度、４０度で柄部１に対する基端側握持部４の回動を阻止する３つの貫通孔１ｄと、不使用時（基端側握持部４を柄部１の先端方向へ倒伏させた折り畳み状態）に対応する１つの貫通孔１ｄとが設けられている。
【００４４】
符号18は杆部材17の先端部に設けられる孔17ａに貫通係止される係止部材である。
【００４５】
また、本実施例では、柄部１の基端にはハンマーなどの殴打作業部材８が着脱自在に設けられている。
【００４６】
具体的には、図８に図示したように柄部１の基端には基端開口部１ｅが設けられ、この基端開口部１ｅに殴打作業部材８の嵌入部８ａが嵌入されるように設けられている。
【００４７】
また、この嵌入部８は、基端開口部１ｅに嵌入した状態で柄部１に貫挿される抜け止め杆19により抜け止めされる。
【００４８】
尚、この殴打作業部材８に替えてツルハシやピッケルやチズルなどの破砕作業部材を着脱自在に設けても良い。
【００４９】
また、図９，10は、柄部１と掬い部２とを連結する連結体９として、掬い部２を柄部１に添設された倒伏状態となるまで折り畳める枢着構造を備えた連結体９を採用した場合であり、非常にコンパクトな状態が得られる。
【００５０】
本実施例は上述のように構成したから、被掘削物としての土Ｓに掬い部２を刺し込んだ状態から掬い上げる際、片方の手で先端側握持部３のグリップ部材３ｂを握持し、もう片方の手で基端側握持部４のグリップ部材４ｂを握持し、この状態で先端側握持部３のグリップ部材３ｂを支点に基端側握持部４のグリップ部材４ｂを下方に押し込むことで、梃子の原理を利用して土Ｓに刺し込んだ掬い部２を上げることができる。
【００５１】
よって、柄部１を握持した状態で掬い上げる場合に比して土Ｓを楽に掬い上げることができる。
【００５２】
また、本実施例は、先端側握持部３及び基端側握持部４は、柄部１に起伏回動自在に設けられる支承部材３ａ，４ａと、この支承部材３ａ，４ａに設けられたグリップ部材３ｂ，４ｂとを有し、支承部材３ａ，４ａ夫々には、柄部１に対し該支承部材３ａ，４ａを所定の角度で保持する角度保持機構５，６が設けられているから、この角度保持機構５，６により柄部１に対する支承部材３ａ，４ａの角度を適宜設定することで、グリップ部材３ｂ，４ｂ同士の間隔や柄部１からの高さ（距離）を調整することができ、作業者の体格などに合った作業し易い状態を簡易に得ることができる。
【００５３】
また、本実施例は、角度保持機構５，６により先端側握持部３及び基端側握持部４を適宜調整することで、先端側握持部３のグリップ部材３ｂと、基端側握持部４のグリップ部材４ｂとの柄部１からの高さ（距離）を略同じにすることができ、この状態で搬送作業をすると、掬い部２が水平状態の為、掬い部２で掬った被掘削物Ｓをこぼすことなく楽な姿勢で搬送作業することができる。
【００５４】
また、本実施例は、基端側握持部４は、支承部材４ａを柄部１の先端方向へ倒伏させた折り畳み状態と、柄部１の基端方向へ倒伏させた展開状態とに切り替え可能に設けられており、例えば基端側握持部４を折り畳んだコンパクトな状態にすることができる。
【００５５】
また、本実施例は、支承部材４ａを柄部１の基端方向へ倒伏させた展開状態とした際、グリップ部材４ｂが柄部１の基端よりも外側に位置するように設けられているから、基端側握持部４を通常のショベルの握柄部と同様の機能を発揮させることができる。
【００５６】
また、本実施例は、掬い部２は、柄部１の先端部に回動自在に設けられ、掬い部２には柄部１に対し該掬い部２を所定の角度で保持する掬い部角度保持機構７が設けられているから、掬い部２を使用者の使用し易い最適な状態が得られることになる。
【００５７】
また、本実施例は、柄部１の基端にはハンマーなどの殴打作業部材８，ツルハシなどの破砕作業部材が着脱自在に設けられているから、多機能で非常に使い勝手の良いものとなる。
【００５８】
尚、本発明は、本実施例に限られるものではなく、各構成要件の具体的構成は適宜設計し得るものである。
【符号の説明】
【００５９】
１  柄部
２  掬い部
３  先端側握持部
３ａ  支承部材
３ｂ  グリップ部材
４  基端側握持部
４ａ  支承部材
４ｂ  グリップ部材
５  角度保持機構
６  角度保持機構
７  掬い部角度保持機構
８  殴打作業部材
【図１】
2020063588.tif 000003
【図２】
2020063588.tif 000004
【図３】
2020063588.tif 000005
【図４】
2020063588.tif 000006
【図５】
2020063588.tif 000007
【図６】
2020063588.tif 000008
【図７】
2020063588.tif 000009
【図８】
2020063588.tif 000010
【図９】
2020063588.tif 000011
【図１０】
2020063588.tif 000012
【図１１】
2020063588.tif 000013
【図１２】
2020063588.tif 000014
【図１３】
2020063588.tif 000015